(57)【要約】【課題】装置全体の構造を簡単化することができ、容易に組み立てることができるようになる差圧用ドア装置を提供すること。【解決手段】低圧領域と高圧領域との境界箇所に設置されたドア装置１のドアは、幅方向の一方の側端部に取り付けられた第１ヒンジ１３を中心にドア枠２に対して開閉自在となっている第１ドア１１と、幅方向の他方の側端部に取り付けられた第２ヒンジ１４を中心にドア枠２に対して開閉自在となっている第２ドア１２とからなる。幅方向に並設されている第１ドア１１と第２ドア１２とのうち、第１ドア１１には、第１ドア１１に設けられた操作部材となっているドアノブ１５により第２ドア１２に係脱するラッチ部材１７が設けられ、ラッチ部材１７が離脱した第２ドア１２は、高圧領域側の圧力により第２ヒンジ１４を中心に低圧領域側へ開き回動する。【選択図】図１
2015063796.tif 000002
【特許請求の範囲】
【請求項１】
低圧領域と高圧領域との境界箇所に設置されたドア装置であって、ドア枠の内側に形成された開口部にドアが開閉自在に配置されている差圧用ドア装置において、
前記ドアは、幅方向の一方の側端部に取り付けられた第１ヒンジを中心に前記ドア枠に対して開閉自在となっている第１ドアと、幅方向の他方の側端部に取り付けられた第２ヒンジを中心に前記ドア枠に対して開閉自在となっている第２ドアとからなり、前記幅方向に並設されている前記第１ドアと前記第２ドアとのうち、第１ドアには、この第１ドアに設けられた操作部材により前記第２ドアに係脱するラッチ部材が設けられ、このラッチ部材が離脱した前記第２ドアが、前記高圧領域側の圧力により前記第２ヒンジを中心に前記低圧領域側へ開き回動することを特徴とする差圧用ドア装置。
【請求項２】
請求項１に記載の差圧用ドア装置において、前記第２ドアは、前記ドア枠に対し前記低圧領域側の範囲でのみ開閉自在となっていることを特徴とする差圧用ドア装置。
【請求項３】
請求項２に記載の差圧用ドア装置において、前記第２ドアを閉じ方向へ常時回動付勢するための回動付勢手段を備えており、この回動付勢手段の回動力は、前記高圧領域側の圧力により前記第２ヒンジを中心に前記低圧領域側へ開き回動する際の前記第２ドアの回動力よりも小さいことを特徴とする差圧用ドア装置。
【請求項４】
請求項１〜３のいずれかに記載の差圧用ドア装置において、前記第１ドアと前記第２ドアは、前記開口部の上下寸法と対応する高さ寸法を有していることを特徴とする差圧用ドア装置。
【請求項５】
請求項４に記載の差圧用ドア装置において、前記第２ドアの前記幅方向の寸法は、前記第１ドアの前記幅方向の寸法よりも小さいことを特徴とする差圧用ドア装置。
【請求項６】
請求項１〜５のいずれかに記載の差圧用ドア装置において、前記第１ドアは、前記ドア枠に対し前記高圧領域側の範囲でのみ開閉自在となっていることを特徴とする差圧用ドア装置。
【請求項７】
請求項６に記載の差圧用ドア装置において、前記第１ドアを閉じ方向へ常時回動付勢するための回動付勢手段を備えていることを特徴とする差圧用ドア装置。
【請求項８】
請求項１〜７のいずれかに記載の差圧用ドア装置において、前記第１ドアと前記第２ドアのうち、少なくとも一方のドアには、前記第１ドアと前記第２ドアとの間の隙間を前記高圧領域側又は前記低圧領域側から遮蔽するための遮蔽部が設けられていることを特徴とする差圧用ドア装置。
【発明の詳細な説明】
【技術分野】
【０００１】
本発明は、建物等の構造物内で高圧と低圧の差圧が生じてもドアを開くことができる差圧用ドア装置に係り、例えば、防火区画を形成するための防火扉装置として利用できるものである。
【背景技術】
【０００２】
建物や地下街等の構造物内に防火区画を形成する場合には、２つの空間（第１及び第２空間）を出入り可能に仕切るために防火扉装置が設置される。これらの空間のうち、一方の空間、例えば、第１空間で火災が生じたときにはこの第１空間の煙が排煙装置で排出されるため、第１空間は低圧領域となり、第２空間は高圧領域となる。また、第１空間の煙が第２空間へ流出することを防止するために第２空間に空気供給装置で空気を送り込んだときにも、第１空間は低圧領域となり、第２空間は高圧領域となる。
【０００３】
このように低圧領域と高圧領域との境界箇所に設置されるドア装置であって、ドア枠の内側に形成された開口部にドアが開閉自在に配置される差圧用ドア装置となっている防火扉装置について、低圧領域に居た人が扉を高圧領域へ開いてこの高圧領域に脱出しようとしたときに、差圧によってドアを開くことが困難になるため、下記の特許文献１には、このような問題を解決できる技術が示されている。
【０００４】
特許文献１に示されている差圧用ドア装置は、ドア枠の内側の開口部に親ドアが配置され、この親ドアは、幅方向の一方の側端部に取り付けられたヒンジを中心にドア枠に対して開閉自在となっているとともに、親ドアには、幅方向の他方の側端部まで達する欠部が高さ方向の途中部に形成されており、この欠部に、子ドアが上下方向を軸方向とする中心軸を中心に回動自在に配置され、中心軸は子ドアの幅方向中央部からずれた位置に設けられている。また、子ドアには、ドア枠に対し係脱する第１ラッチ部材と、親ドアに対し係脱する第２ラッチ部材とが設けられ、子ドアに設けられている操作部材を操作すると、ドア枠と親ドアに係止していたそれぞれのラッチ部材が離脱し、このため、差圧により子ドアが中心軸を中心に回動して高圧領域の空気が低圧領域へ流出し、これにより、低圧領域と高圧領域の圧力差が小さくなり、親ドアを高圧領域側へ開くことができる。
【先行技術文献】
【特許文献】
【０００５】
【特許文献１】特開平７−２５９４０７号公報（００２０段落〜００２６段落、図１）
【発明の概要】
【発明が解決しようとする課題】
【０００６】
しかし、特許文献１の差圧用ドア装置によると、幅方向の一方の側端部に取り付けられたヒンジを中心にドア枠に対して開閉自在となっている親ドアに、幅方向の他方の側端部まで達する欠部を高さ方向の途中部に形成し、この欠部に、上下方向を軸方向とする中心軸を中心に子ドアを回動自在に配置しなければならず、また、子ドアに、操作部材の操作によりドア枠に対し係脱する第１ラッチ部材と、親ドアに対し係脱する第２ラッチ部材とを設けなければならず、これによると、装置全体の構造が複雑となり、組立作業に多くの手間がかかることになる。
【０００７】
本発明の目的は、装置全体の構造を簡単化することができ、容易に組み立てることができるようになる差圧用ドア装置を提供するところにある。
【課題を解決するための手段】
【０００８】
本発明に係る差圧用ドア装置は、低圧領域と高圧領域との境界箇所に設置されたドア装置であって、ドア枠の内側に形成された開口部にドアが開閉自在に配置されている差圧用ドア装置において、前記ドアは、幅方向の一方の側端部に取り付けられた第１ヒンジを中心に前記ドア枠に対して開閉自在となっている第１ドアと、幅方向の他方の側端部に取り付けられた第２ヒンジを中心に前記ドア枠に対して開閉自在となっている第２ドアとからなり、前記幅方向に並設されている前記第１ドアと前記第２ドアとのうち、第１ドアには、この第１ドアに設けられた操作部材により前記第２ドアに係脱するラッチ部材が設けられ、このラッチ部材が離脱した前記第２ドアが、前記高圧領域側の圧力により前記第２ヒンジを中心に前記低圧領域側へ開き回動することを特徴とするものである。
【０００９】
この差圧用ドア装置では、第１ドアに設けられた操作部材を操作すると、この第１ドアに設けられたラッチ部材が第２ドアから離脱し、これにより、第２ドアは高圧領域側の圧力により第２ヒンジを中心に低圧領域側へ開き回動するため、高圧領域の圧力は低下することになる。このため、第１ドアを操作部材によって第１ヒンジを中心に開き回動させることができて、低圧領域側に居た人は高圧領域側へ移動することができる。
【００１０】
そして、この差圧用ドア装置は、幅方向の一方の側端部に取り付けられた第１ヒンジを中心にドア枠に対して開閉自在となっている第１ドアと、幅方向の他方の側端部に取り付けられた第２ヒンジを中心に開閉自在となっている第２ドアと、幅方向に並設されている第１ドアと第２ドアとのうち、第１ドアに設けられ、この第１ドアの操作部材の操作により第２ドアに係脱するラッチ部材とが構成要素となって構成されており、このため、装置全体の構造が簡単化されており、また、装置全体を容易に組み立てることができる。
【００１１】
以上の本発明に係る差圧用ドア装置において、第２ドアは、ドア枠に対し低圧領域と高圧領域の両方に跨って開閉自在となっていてもよく、あるいは、低圧領域側の範囲でのみ開閉自在となっていてよい。
【００１２】
第２ドアを低圧領域側の範囲でのみ開閉自在とするためには、ドア枠に、このドア枠に対して閉じ位置まで第２ヒンジを中心に回動した第２ドアが当接する戸当り部を設けてもよく、あるいは、第２ドアに、この第２ドアがドア枠に対して閉じ位置まで第２ヒンジを中心に回動したときにドア枠に当接する戸当り部を設けてもよい。
【００１３】
また、第２ドアを低圧領域側の範囲でのみ開閉自在とする場合には、本発明に係る差圧用ドア装置を、第２ドアを閉じ方向へ常時回動付勢するための回動付勢手段を備えているものとしてもよい。このように本発明に係る差圧用ドア装置を回動付勢手段を備えたものとする場合には、この回動付勢手段の回動力を、高圧領域側の圧力により第２ヒンジを中心に低圧領域側へ開き回動する際の第２ドアの回動力よりも小さくする。
【００１４】
これによると、回動付勢手段は、高圧領域側の圧力により第２ドアが第２ヒンジを中心に低圧領域側へ開き回動することを阻止せず、また、第２ドアが低圧領域側へ開き回動することにより、高圧領域と低圧領域との圧力差が小さくなったときには、第２ドアを回動付勢手段により自動的に閉じ回動させることができる。
【００１５】
このような回動付勢手段については、第２ヒンジをオートヒンジとすることにより、この第２ヒンジ自体を回動付勢手段としてもよく、あるいは、回動付勢手段をドア枠と第２ドアとの間に架設されたドアクローザとしてもよく、あるいは、回動付勢手段をフロアヒンジとしてもよい。
【００１６】
また、第１ドアと第２ドアの高さ寸法は任意であり、その一例は、第１ドアと第２ドアを、前記開口部の上下寸法と対応する高さ寸法を有するものとすることであり、これによると、第１ドアの高さ寸法と第２ドアの高さ寸法は、同じになるため、これらのドアについての製造作業及び設置現場での配置作業を容易に行えるようになる。
【００１７】
また、第１ドアと第２ドアのうち、一方のドアの高さ寸法を前記開口部の上下寸法と同じにするとともに、このドアを、前記開口部の幅寸法と同じ幅寸法を有する上部と、前記開口部の幅寸法よりも小さい幅寸法を有する下部とからなる逆Ｌ字形状のものとし、下部の側部に、前記開口部の上下寸法よりも前記一方のドアの上部の分だけ高さ寸法が小さい他方のドアを配置してもよい。
【００１８】
また、第１ドアと第２ドアの幅寸法も任意であり、その一例は、第２ドアの幅寸法を第１ドアの幅寸法よりも小さくすることである。また、第２ドアの幅寸法と第１ドアの幅寸法を同じにしてもよく、第２ドアの幅寸法を第１ドアの幅寸法よりも大きくしてもよい。
【００１９】
第２ドアの幅寸法を第１ドアの幅寸法よりも小さくした場合には、火災等が発生していない平常時において、前記操作部材により前記第１ヒンジを中心に第１ドアを開き回動させたときに確保することができる人等の通過用の開口部の幅寸法を大きくすることができる。
【００２０】
さらに、第１ドアは、ドア枠に対し高圧領域と低圧領域の両方に跨って開閉自在となっていてもよく、あるいは、高圧領域側の範囲でのみ開閉自在となっていてよい。
【００２１】
第１ドアを高圧領域側の範囲でのみ開閉自在とするためには、ドア枠に、このドア枠に対して閉じ位置まで第１ヒンジを中心に回動した第１ドアが当接する戸当り部を設けてもよく、あるいは、第１ドアに、この第１ドアがドア枠に対して閉じ位置まで第１ヒンジを中心に回動したときにドア枠に当接する戸当り部を設けてもよい。
【００２２】
また、第１ドアを高圧領域側の範囲でのみ開閉自在とする場合には、本発明に係る差圧用ドア装置を、第１ドアを閉じ方向へ常時回動付勢するための回動付勢手段を備えているものとしてもよい。
【００２３】
これによると、第１ドアを前記操作部材により開き回動させた後に、第１ドアを回動付勢手段により自動的に閉じ回動させることができる。
【００２４】
このような回動付勢手段についても、第１ヒンジをオートヒンジとすることにより、この第１ヒンジ自体を回動付勢手段としてもよく、あるいは、回動付勢手段をドア枠と第１ドアとの間に架設されたドアクローザとしてもよく、あるいは、回動付勢手段をフロアヒンジとしてもよい。
【００２５】
また、第１ドアと第２ドアのうち、少なくとも一方のドアに、第１ドアと第２ドアとの間の隙間を高圧領域側又は低圧領域側から遮蔽するための遮蔽部を設けてもよい。
【００２６】
これによると、火災の発生時において、煙が第１ドアと第２ドアとの間の隙間を通って低圧領域側から高圧領域側へ流出することを遮蔽部により防止することができる。
【００２７】
さらに、第１ドアに設ける操作部材は、この第１ドアの低圧側の面だけに設けてもよく、あるいは、第１ドアの低圧側の面と高圧側の面、すなわち、第１ドアの両方の面に設けてもよい。第１ドアの高圧側の面にも操作部材を設けると、火災等が発生していない平常時においても、第１ドアを高圧側から開き回動させることができるとともに、例えば、火災等の発生時において、高圧領域に居る人が低圧領域に居る人を救助するために、高圧領域に居る人が第１ドアを高圧側から開き回動させることができるようになる。
【００２８】
また、第２ドアには、この第２ドアを開閉操作するための操作部材を設けなくてもよいが、第２ドアに設けたラッチ部材を第１ドアに係脱させるためのこのような操作部材を第２ドアにも設けてもよい。これによると、火災等が発生していない平常時において、第２ドアを操作部材の操作によって第１ドアに対して開閉させることができる。
【００２９】
以上説明した本発明に係る差圧用ドア装置において、高圧領域と低圧領域の圧力差は、火災で生じた煙が排煙装置で排出されたり、前述の空気供給装置で空気が供給されたりすることによって生ずる気圧差でもよく、あるいは、大雨により侵入した水又は火災を鎮火するために放水された水による水圧差でもよく、あるいは、これらの気圧差と水圧差の合計によるものでもよい。
【発明の効果】
【００３０】
本発明によると、差圧用ドア装置の装置全体の構造を簡単化することができ、また、差圧用ドア装置を容易に組み立てることができるという効果を得られる。
【図面の簡単な説明】
【００３１】
【図１】図１は、本発明の一実施形態に係る差圧用ドア装置の全体を示す正面図である。
【図２】図２は、図１の差圧用ドア装置を、壁とドア枠の左右の側枠とを断面図として示した一部省略の平面図である。
【図３】図３は、差圧用ドア装置の第２ドアが、高圧領域と低圧領域の圧力差により低圧領域側へ開き回動したときを示す図２と同様の図である。
【図４】図４は、差圧用ドア装置の第１ドアを高圧領域側へ開き回動させたときを示す図２と同様の図である。
【図５】図５は、第１ドアと第２ドアに、これらのドアの間の隙間を高圧領域側と低圧領域側から遮蔽するための遮蔽部を設けた実施形態を示す図２と同様の図である。
【図６】図６は、戸当り部についての別実施形態を示す図１と同様の図である。
【発明を実施するための形態】
【００３２】
以下に本発明を実施するための形態を図面に基づいて説明する。図１には、本発明の一実施形態に係るドア装置１の全体正面図が示されており、本実施形態のドア枠２は、上枠３と、下枠４と、左右の側枠５，６からなる四方枠となっているが、本発明は、ドア枠が、下枠４が省略された三方枠となっている場合にも適用できる。
【００３３】
ドア枠２の内側は人等が出入りする開口部７であり、この開口部７には、それぞれ防火性、耐火性を有している第１ドア１１と第２ドア１２が、左右方向である幅方向に並設されており、これらの第１ドア１１と第２ドア１２は、開口部７の上下寸法と対応する高さ寸法を有する。第１ドア１１は、図１において、左右の側端部のうち、右の側端部に取り付けられた第１ヒンジ１３によってドア枠２の側枠５に連結され、このため、第１ドア１１は、第１ヒンジ１３を中心にドア枠２に対して開閉自在となっている。また、第２ドア１２は、左右の側端部のうち、左の側端部に取り付けられた第２ヒンジ１４によってドア枠２の側枠６に連結され、このため、第２ドア１２は、第２ヒンジ１４を中心にドア枠２に対して開閉自在となっている。
【００３４】
第１ドア１１と第２ドア１２の合計幅寸法は、開口部７の幅寸法と対応するものになっているが、第１ドア１１の幅寸法と第２ドア１２の幅寸法は、同じになっておらず、第２ドア１２の幅寸法は、第１ドア１１の幅寸法よりも小さい。
【００３５】
第１ドア１１には、この第１ドア１１を開閉操作する際に用いられる操作部材となっているドアノブ１５と、このドアノブ１５の回動操作が運動変換機構１６により直線移動に変換されるラッチ部材１７とが設けられており、第２ドア１２には、ラッチ部材１７が挿入、係合されて、このラッチ部材１７を受けるためのラッチ受け部材１８が設けられている。通常時は第２ドア１２側へ前進しているラッチ部材１７がラッチ受け部材１８で受けられることにより、ラッチ部材１７は第２ドア１２に係止され、ドアノブ１５の回動操作でラッチ部材１７が第１ドア１１側へ後退してラッチ受け部材１８から抜け出ることにより、ラッチ部材１７は第２ドア１２から離脱する。
【００３６】
図２は、図１のドア装置１を、このドア装置１が配置されている壁１９と、ドア枠２の左右の側枠５，６とを断面図として示した一部省略の平面図である。ドア装置１は、コンクリート等で形成されている壁１９と共に建物内の防火区画を形成しており、ドア装置１と壁１９とで区画されている２つの空間Ａ，Ｂのうち、空間Ａは、例えば、建物内の通路（後述の高圧領域）であり、空間Ｂは、この建物内の部屋（後述の低圧領域）である。第１ドア１１のドアノブ１５は、２つの空間Ａ，Ｂに向いている第１ドア１１の両方の面に設けられている。
【００３７】
図１に示されているように、ドア枠２の上枠３には、第２ドア１２が第２ヒンジ１４を中心に空間Ｂ側から閉じ回動したときに第２ドア１２に当接することにより、第２ドア１２が空間Ａ側へ回動することを阻止するための戸当り部２０が設けられ、このため、第２ヒンジ１４を中心とする第２ドア１２のドア枠２に対する開閉は、空間Ｂの領域のみで行われるようになっている。また、第２ヒンジ１４は、ヒンジ本体の内部にばね等の弾性部材が内蔵されたオートヒンジであり、このため、第２ヒンジ１４は、第２ドア１２に常時閉じ方向への回動力を付与するための回動付勢手段となっている。なお、この回動付勢手段による閉じ方向への回動力は、後述から分かるように、高圧領域となっている空間Ａの圧力により第２ヒンジ１４を中心に低圧領域となっている空間Ｂへ開き回動する際の第２ドア１２の回動力よりも小さくなっている。
【００３８】
さらに、ドア枠２の上枠３には、第１ドア１１が第１ヒンジ１３を中心に空間Ａ側から閉じ回動したときに第１ドア１１に当接することにより、第１ドア１１が第１ヒンジ１３を中心に空間Ｂ側へ回動することを阻止するための戸当り部２１が設けられ、このため、第１ヒンジ１３を中心とする第１ドア１１のドア枠２に対する開閉は、空間Ａの領域のみで行われるようになっている。また、第１ヒンジ１３も、ヒンジ本体の内部にばね等の弾性部材が内蔵されたオートヒンジであり、このため、第１ヒンジ１３は、第１ドア１１に常時閉じ方向への回動力を付与するための回動付勢手段となっている。
【００３９】
なお、戸当り部２０，２１は、上枠３に取り付けた戸当り部材によるものでもよく、あるいは、上枠３と一体に形成された上枠３の一部によるものでもよい。
【００４０】
図２において、空間Ｂにおいて火災が発生すると、この空間Ｂから図示外の排煙装置によって煙が排出されるため、空間Ｂの気圧は空間Ａの気圧よりも低下し、このため、空間Ｂは低圧領域となって、空間Ａは高圧領域となり、本実施形態に係るドア装置１は、これらの低圧領域と高圧領域との境界箇所に設置された防火性、耐火性を有する差圧用ドア装置となっている。
【００４１】
空間Ｂが低圧領域となって、空間Ａが高圧領域となった後に、空間Ｂに居る人がこの空間Ｂから脱出するために、第１ドア１１に操作部材として設けられているドアノブ１５を回動操作すると、第１ドア１１に設けられているラッチ部材１７が後退して第２ドア１２から離脱する。これにより、第２ドア１２は、図３に示されているように、空間Ａの高圧の気圧により低圧領域の空間Ｂ側へ開き回動し、この開き回動は、第２ドア１２のための回動付勢手段であってオートヒンジとなっている第２ヒンジ１４による閉じ方向への回動力に抗して行われる。
【００４２】
第２ドア１２が空間Ｂ側へ開き回動すると、空間Ａの高圧の空気は空間Ｂへ流出するため、空間Ａの気圧の低下と、空間Ｂの気圧の上昇とにより、２つの空間Ａ，Ｂの気圧差が小さくなり、これにより、空間Ｂに居る上述の人は、図４に示されているように、ドアノブ１５によって第１ドア１１を第１ヒンジ１３を中心に空間Ａ側へ開き回動させて、空間Ｂから空間Ａへ脱出することができる。
【００４３】
この後に、空間Ｂ側へ開き回動していた第２ドア１２は、オートヒンジとなっている第２ヒンジ１４の回動力によって閉じ回動し、この閉じ回動は、第２ドア１２が、ドア枠２の上枠３に設けられている戸当り部２０に当接することにより停止する。また、空間Ａ側へ開き回動していた第１ドア１１も、オートヒンジとなっている第１ヒンジ１３の回動力によって閉じ回動し、この閉じ回動は、第１ドア１１が、ドア枠２の上枠３に設けられている戸当り部２１に当接することにより停止する。そして、第１ドア１１が戸当り部２１で規定される閉じ回動限に達したときには、第１ドア１１の前進していたラッチ部材１７は、第２ドア１２のラッチ受け部材１８に挿入、係合し、このため、ラッチ部材１７によって第１ドア１１と第２ドア１２は連結され、これにより、ドア枠２の内側の開口部７が第１ドア１１と第２ドア１２とで閉じられていたもとの状態に復帰する。
【００４４】
このため、空間Ｂに居た上述の人が空間Ａに脱出した後は、２つの空間Ａ，Ｂは第１ドア１１と第２ドア１２により遮断されることになり、これにより、空間Ｂの煙が空間Ａへ流出することを有効に防止できる。
【００４５】
以上説明した本実施形態によると、差圧用ドア装置１のドア枠２の内側に形成されている開口部７に開閉自在に配置されるドアは、第１ドア１１と第２ドア１２であり、第１ドア１１は、幅方向の一方の側端部に取り付けられた第１ヒンジ１３を中心にドア枠２に対して開閉自在に取り付ければよく、第２ドア１２は、幅方向の他方の側端部に取り付けられた第２ヒンジ１４を中心にドア枠２に対して開閉自在に取り付ければよいため、装置全体の構造を簡単化することができ、また、容易に組み立てることもできる。
【００４６】
また、第１ドア１１に設けられたドアノブ１５と、このドアノブ１５で第２ドア１２に対して係脱するラッチ部材１７は、一般のドア装置のドアに設けられているものと同じでよいため、この点でも、装置全体の構造を簡単化と、組み立ての容易化を図ることができる。
【００４７】
さらに、第１ドア１１と第２ドア１２は、開口部７の上下寸法と対応する高さ寸法を有するものとなっていて、これらのドア１１，１２の高さ寸法は同じであるため、この点でも、装置全体の構造が簡単化され、組み立ての容易化を実現できる。
【００４８】
また、本実施形態では、ドア枠２の上枠３に、第２ドア１２をドア枠２に対し低圧領域となっている空間Ｂの範囲でのみ開閉自在とするための戸当り部２０が設けられているとともに、第２ドア１２をドア枠２に対して開閉自在とするための第２ヒンジ１４は、第２ドア１２を閉じ方向へ常時回動付勢するための回動付勢手段となっており、この回動付勢手段の回動力は、高圧領域となっている空間Ａの圧力により第２ヒンジ１４を中心に空間Ｂ側へ開き回動する際の第２ドア１２の回動力よりも小さいため、第２ドア１２を空間Ａの圧力により、回動付勢手段の回動力に抗して空間Ｂ側へ開き回動させることができて、空間Ａと空間Ｂとの圧力差が小さくなったときには、第２ドア１２を、回動付勢手段の回動力により戸当り部２０に当接するまで閉じ回動させることができる。
【００４９】
さらに、ドア枠２の上枠３に、第１ドア１１をドア枠２に対し高圧領域となっている空間Ａの範囲でのみ開閉自在とするための戸当り部２１が設けられ、第１ドア１１をドア枠２に対して開閉自在とするための第１ヒンジ１３は、第１ドア１１を閉じ方向へ常時回動付勢するための回動付勢手段となっているため、前述の人が、空間Ｂから空間Ａへ移動した後は、第１ドア１１を回動付勢手段の回動力により、戸当り部２１に当接するまで閉じ回動させることができ、これにより、２つの空間Ａ，Ｂを、第１ドア１１と第２ドア１２により遮断することができて、２つのドア１１，１２が開き回動する前のもとの状態に復帰させることができる。
【００５０】
また、本実施形態によると、第２ドア１２の幅寸法は第１ドア１１の幅寸法よりも小さいため、第１ドア１１の幅寸法は第２ドア１２の幅寸法よりも大きくなっており、このため、火災等が発生してない平常時において、第２ドア１２が、この第２ヒンジ１２のための回動付勢手段となっている第２ヒンジ１４の回動力により、戸当り部２０で規定される閉じ限位置に達していても、ドアノブ１５により第１ドア１１を開き回動させたときに、人等が充分に通過できる大きな幅寸法の通過用開口部を確保することができる。
【００５１】
図５に示されている実施形態では、第１ドア１１と第２ドア１２に、これらのドア１１，１２の間の隙間Ｓを遮蔽するための遮蔽部３１，３２が設けられている。すなわち、第１ドア１１の空間Ａ側の面における第２ドア１２側の端部には、隙間Ｓを越えて第２ドア１２まで張り出している遮蔽部３１の基部が結合されており、また、第２ドア１２の空間Ｂ側の面における第１ドア１１側の端部には、隙間Ｓを越えて第１ドア１１まで張り出している遮蔽部３２の基部が結合されている。これらの遮蔽部３１，３２は、第１及び第２ドア１１，１２の上下方向の全長又は略全長に渡る長さを有している。
【００５２】
遮蔽部３１，３２により、第１ドア１１と第２ドア１２の間の隙間Ｓが空間Ａ側及び空間Ｂ側から遮蔽されるため、空間Ｂでの火災による煙が隙間Ｓを通って空間Ａへ流出することを抑制できる。
【００５３】
また、上述の形状となっている遮蔽部３１，３２を第１ドア１１と第２ドア１２に設けることにより、これらのドア１１，１２が図４に示すようにヒンジ１３，１４を中心に開閉する際に、遮蔽部３１，３２とドア１１，１２とが干渉することをなくすことができる。また、遮蔽部３１，３２は、ドアノブ１５と干渉しないドア１１，１２の箇所に配置されている。
【００５４】
なお、遮蔽部３１，３２は、第１ドア１１と第２ドア１２に取り付けた遮蔽部材によるものでもよく、あるいは、第１ドア１１と第２ドア１２に一体に形成された第１ドア１１と第２ドア１２の一部によるものでもよい。また、遮蔽部３１，３２のうち、一方だけを第１ドア１１又は第２ドア１２に設けてもよい。
【００５５】
また、１個又は２個の遮蔽部は、ドア１１，１２との干渉を避けることができる場合や、干渉が生じても、ドア１１，１２を手動で全閉等にできる場合には、図５とは反対側の箇所に配置してもよい。
【００５６】
図６は、図１で示した戸当り部についての別実施形態を示している。
【００５７】
すなわち、図６の実施形態では、第２ドア１２に、この第２ドア１２が第２ヒンジ１４を中心に空間Ｂ側から閉じ回動したときにドア枠２の上枠３に当接することにより、第２ドア１２が空間Ａ側へ回動することを阻止するための戸当り部４０が設けられ、このため、第２ヒンジ１４を中心とする第２ドア１２のドア枠２に対する開閉は、空間Ｂの領域のみで行われる。また、第１ドア１１には、この第１ドア１１が第１ヒンジ１３を中心に空間Ａ側から閉じ回動したときにドア枠２の上枠３に当接することにより、第１ドア１１が空間Ｂ側へ回動することを阻止するための戸当り部４１が設けられ、このため、第１ヒンジ１３を中心とする第１ドア１１のドア枠２に対する開閉は、空間Ａの領域のみで行われる。
【００５８】
なお、戸当り部４０，４１は、第１ドア１１と第２ドア１２に取り付けた戸当り部材によるものでもよく、あるいは、第１ドア１１と第２ドア１２とに一体に形成された第１ドア１１と第２ドア１２の一部によるものでもよい。
【産業上の利用可能性】
【００５９】
本発明は、圧力差が生ずる箇所に設置されるドア装置として利用でき、例えば、防火区画を形成するための防火扉装置として利用することができる。
【符号の説明】
【００６０】
１  差圧用ドア装置
２  ドア枠
７  ドア枠の内側の開口部
１１  第１ドア
１２  第２ドア
１３  回動付勢手段のオートヒンジとなっている第１ヒンジ
１４  回動付勢手段のオートヒンジとなっている第２ヒンジ
１５  操作部材であるドアノブ
１７  ラッチ部材
１８  ラッチ受け部材
２０，２１，４０，４１  戸当り部
３１，３２  遮蔽部
Ａ  高圧領域の空間
Ｂ  低圧領域の空間
Ｓ  隙間
【図１】
2015063796.tif 000003
【図２】
2015063796.tif 000004
【図３】
2015063796.tif 000005
【図４】
2015063796.tif 000006
【図５】
2015063796.tif 000007
【図６】
2015063796.tif 000008